Podtech/llm-jp-corpus-v4-ja_patent huggingface dataset:
(57)【要約】      （修正有）【課題】腕や足などの比較的広範囲にわたる肌荒れやしもやけなどの対策として油や軟膏、クリーム状の薬などを塗るが、その塗った部位を保護する場合に、前準備や対象部位への巻き付けなどの取り扱いが簡単で、また、装着中にも外れにくく、かつ、就寝中に寝具などを汚さず、長時間使用していても湿気がこもらない有孔保護フィルムを提供する。【解決手段】水蒸気を放出する多数の孔３を有し、対象部位の手や腕、足に巻き付けることで固定することができる自己粘着性のある薄目付のフィルム２で、片手で簡単に取り扱いできるように適切な幅でロール状に巻いた。【選択図】図１
0003222529.tif 000002
【実用新案登録請求の範囲】
【請求項１】
ロール状に巻いた厚さ２５μｍ以下、幅３ｃｍ〜１０ｃｍの熱可塑性樹脂を原料とした自己粘着性のあるフィルムで、かつ、フィルムの全面に面積が０．０３１４ｍｍ２以下の孔を４個／ｃｍ２以上の密度で施した自己粘着性のある有孔保護フィルム。
【考案の詳細な説明】
【技術分野】
【０００１】  本考案は、腕や手、足など比較的広い面積の肌をケアする時に使用するフィルムに関するものである。
【背景技術】
【０００２】  腕や手、足などの肌荒れ、湿疹などをケアする為に、クリーム状の薬や軟膏、保湿効果のある油などを塗って寝ることが多く、寝ている間に寝間着や寝具などが汚れないように保護したいが、対象となる肌の面積が広いため、救急絆創膏ではなく、包帯や手袋、靴下を使用する場合が多い。【０００３】  前述の包帯や手袋、靴下を使用する場合、非常に面倒ではあるが、肌に油や軟膏、クリーム状の薬などを塗布した後、塗布面にガーゼや油紙を置いてから、包帯を巻き、また、手袋をはめたり、靴下を履いたりすることが一般的である。
包帯の場合は、対象部分に片手で包帯を巻くことが難しいだけでなく、巻き方が悪いと就寝中にズレたり、解けてしまう場合がある。また、包帯やガーゼなどに油や軟膏、クリーム状の薬などが滲み込むため、油や薬剤の効果が薄れてしまう不安を抱く人もいる。また、使用場所が限定されてしまうが手袋や靴下の場合は、手や足への装着は簡単であるが、いずれの場合も布製のため包帯を使用した場合と同様に油や薬剤の効果に対しての不安を抱く人がいる。特に薄手の生地が使用されている場合は、油や軟膏、クリーム状の薬などの滲み出しが発生し寝間着や寝具を汚す場合がある。
フィルムを代用品として使用する場合があるが、特に、食品ラップの場合は、密着性が非常に高く汗が蒸発しにくいので油や軟膏、クリーム状の薬などが汗と一緒になり肌とラップの間から滲み出てきて寝間着や寝具を汚す場合や患部の熱のこもりや蒸れによる症状の悪化が発生する場合もある。また、市販の食品ラップの幅は広過ぎるので、対象の肌を覆うには幅を狭くして使用しなければならない場合が多い。
【考案の概要】
【考案が解決しようとする課題】
【０００４】  本考案の課題は、腕や手、足など比較的広い面積の肌荒れや湿疹の防止や治療のために塗布した油や薬剤などにより、寝ている間に寝間着や寝具などを汚さず、また、処置した肌の蒸れや熱のこもりを軽減することで快適性に優れた、取り扱いの簡単な、広い面積の肌を保護するフィルムを提供することにある。
【課題を解決するための手段】
【０００５】  本考案は、包帯を手や腕に巻き付ける時、ひとりで包帯の端を押さえながら巻き付けることが大変で、確実に包帯を巻き付けることが困難であること、また、食品ラップを使用することによる蒸れや熱のこもりが原因の症状の悪化となる場合があること、蒸発しない汗と油や軟膏、クリーム状の薬などが一緒になりラップと肌の隙間より滲み出すことによる寝間着や寝具の汚れを発生させる場合があること、市販の食品ラップの幅の広さによる取り扱いの不便さがあることなどに着目し、肌への密着性があり対象となる肌の部分だけを包むための適切な幅のロール状にすることにより装着時の煩わしさや蒸れ、熱のこもりの軽減可能な自己粘着性のある有孔保護フィルムを得るに至った。
【考案の効果】
【０００６】  上記本考案の自己粘着性のある有孔保護フィルムは、ポリ塩ビニルやポリ塩化ビニリデン、ポリオレフィンエラストマーなどを原料とした自己粘着性のある厚みが２５μｍ以下のフィルムが好ましく、当該フィルムに多数の直径２００μｍ以下の孔を有することで、肌より発散される汗をフィルムの外へ放出し患部への熱のこもりや油、薬の滲み出しを軽減する。
また、当該自己粘着性のある有孔保護フィルムは、幅が３ｃｍから１０ｃｍでロール状に巻き付けた形状であるため、煩わしい巻き付け作業が片手で簡単に対象患部への巻き付けが可能である。
【図面の簡単な説明】
【０００７】
【図１】図１は、本考案の自己粘着性のある有孔保護フィルムの模式図である。
【図２】図２は、本考案の自己粘着性のある有孔保護フィルムのロール状の模式図である。
【考案を実施するための形態】
【０００８】  以下、更に添付図面を参照し、前述自己粘着性のある有孔保護フィルムの具体的実施形態について説明する。
図１において、１は自己粘着性のある有孔保護フィルムであり、２は自己粘着性のあるフィルム、３は孔である。
図２において、自己粘着性のある有孔保護フィルム１をロール状に巻いた状態を示している。
【実施例】
【０００９】  自己粘着性のある有孔保護フィルム１は、厚さ１０μｍのポリ塩化ビニル製の自己粘着性のあるフィルム２であり、自己粘着性のあるフィルム２には多数の直径１００μｍの孔３が開けられ、適度な幅で図２に示すようなロール状の形態となっているため片手で、他方の手や腕にも簡単に巻き付けることができる。
自己粘着性のある有孔保護フィルム１には、多数の非常に小さな孔３が開いているため、水蒸気が透過しやすく蒸れにくく、油やクリーム状の薬が透過しにくいので寝具などを汚しにくく、また、自己粘着性があるため、手や腕、足などへの確実な装着が簡単にできる。【００１０】  自己粘着性のある有孔保護フィルム１の幅は、３ｃｍ〜１０ｃｍの範囲がよい。３ｃｍより狭いと広い部位を包むのに何回も巻く必要があり、巻き締まりが起こりやすくなり、幅が１０ｃｍより広いと腕や足に巻き付けたときに重なり部が多くなり蒸れや熱のこもりが発生し、症状を悪化させる場合がある。
【産業上の利用可能性】
【００１１】  本考案の自己粘着性のある有孔保護フィルム１は、多数の孔３が開けられた自己粘着性のあるフィルム２で、適度な幅でロール状に巻かれているため、片手でも簡単に対象部に巻き付けることができ、かつ、十分な粘着性により就寝中でもズレや外れという問題の発生が少なく、また、当該フィルム１は湿気を通すので蒸れや熱のこもりの発生、および、油や軟膏、クリーム状の薬などの滲み出しを軽減することで油や薬剤の効果の安定と持続、寝具や衣類などを汚れにくくすることが可能となる。
【符号の説明】
【００１２】  １  自己粘着性のある有孔保護フィルム
２  自己粘着性のあるフィルム
３  孔
【図１】
0003222529.tif 000003
【図２】
0003222529.tif 000004
(57)【要約】      （修正有）【課題】目が疲れた時などに暖かい蒸気を目もとに与えるとともに、外部を見ることができる孔付きアイマスクを提供する。【解決手段】目が疲れた時などに暖かい蒸気を目もとに発生させることができるアイマスクの肌側シートと外側シートとそれらの間に配置された発熱体をもつアイマスクの目元あて部２の中央付近に３ｍｍから１２ｍｍ程度の貫通孔３を設け、アイマスクを掛けたままでもテレビや周辺の様子を見ることができるようにした。【選択図】図１
0003222522.tif 000002
【実用新案登録請求の範囲】
【請求項１】
蒸気を目もとに与え、目を暖め両目を覆うアイマスク本体（１）の目元あて部（２）の中央付近に３ｍｍから１２ｍｍの貫通孔（３）を設けた穴付きアイマスク。
【考案の詳細な説明】
【技術分野】
【０００１】  本考案は、目が疲れた時などに暖かい蒸気を目もとに与え、疲れた目を暖めることで気分をほぐすことができるアイマスク本体（１）の目元あて部（２）に３ｍｍから１２ｍｍ程度の貫通孔（３）を設けアイマスク本体を掛け目元あて部（２）を目に被せたままでもテレビや周辺の様子を見ることができる孔付きアイマスクに関するものである。
【背景技術】
【０００２】従来、可撓性を有する広巾帯状のシート状で暖かい蒸気を目もとに与え効率的に温熱や水蒸気を発生させ使用感の良好な目用温熱具として販売されているアイマスクは、疲れた目を暖めることで気分をほぐすことができるとされている。しかし従来のアイマスクは目元あて部が目を全て覆い目隠しされているため、そのままでは外部を見ることができない。また、アイマスクをしている間はテレビや周りの状況を目視することができない。
本考案は、目が疲れた時などに暖かい蒸気を目もとに発生させることができるアイマスクの肌側シートと外側シートとそれらの間に配置された発熱体をもつアイマスクの目元あて部の中央付近に３ｍｍから１２ｍｍ程度の貫通孔を設け目元あて部を目に被せたままでもテレビや周辺の様子を見ることができる孔付きアイマスクに関するものである。
【先行技術文献】
【０００３】
【特許文献１】特開２０１２−２０１７５（Ｐ２０１２−２０１７５Ａ）
【特許文献２】特開２００５−２８８０５６  公報
【実用新案文献１】
公開実用新案公報  昭５９−１９６２３７
【実用新案文献１】
登録実用新案公報第３０５５８２５号
【考案の概要】
【考案が解決しようとする課題】
【０００４】特許文献１の特開２０１２−２０１７５による、目が疲れた時などに暖かい蒸気を目もとに与え効率的に温熱や水蒸気を発生させ使用感の良好な目用温熱具として販売されているアイマスクは、目の部分を全て覆い目隠しされるためその状態では外部を見ることができない。実用新案文献１の公開実用新案公報昭５９−１９６２３７は治療用の磁石を穴に当て利用するためマスクをしたままでは、テレビや周りの状況を見ることができない。実用新案文献１の登録実用新案公報第３０５５８２５号による健康アイマスクでは、目元あて部を眼部にあて眼の周囲の経穴を的確に押圧して眼精疲労を簡単かつ効果的に解消するにすぎず、疲れた時などに暖かい蒸気を目もとに与えながらテレビや周りの状況を見るものとは異なる。特許文献２の特開２００５−２８８０５６公報においてはマスクの眼用開口部に対応して複数の小孔を有している健康アイマスクを提供することを目的としているが、目が疲れた時などに暖かい蒸気を目もとに与えながらテレビや周りの状況を見るものとしては小孔が多すぎて利用することはできない。
【課題を解決するための手段】
【０００５】本考案は、上記の問題点を取り除くために考案されたもので、目が疲れた時などに暖かい蒸気を目もとに発生させることができるアイマスクの肌側シートと外側シートとそれらの間に配置された発熱体をもつアイマスク本体（１）の目元あて部（２）の中央付近に３ｍｍから１２ｍｍ程度の貫通孔（３）を設けたことを特徴とし、目元あて部（２）を目に被せたままでもテレビや周辺の様子が見えるようにした孔付きアイマスクである。
貫通孔の形状は、丸い貫通孔（３）、縦又は横に細長い貫通孔（４）、縦横十字方向に細長い貫通孔でも利用でき、孔の位置は、孔付きアイマスク本体（１）を使用した時に目の瞳の付近にくるのが良い。また、貫通孔の代わりに目元あて部（２）を上下２分割にして隙間を作り上下を張り合わせ外部を可視することができるようにしたアイマスクでも利用できる。
【考案の効果】
【０００６】  本考案を利用することにより孔付きアイマスクは、目に覆ったまま映画、テレビや周辺の様子を見ることができるので、テレビやパーソナルコンピュータ、携帯電話などによる緊急速報や周囲の異変に早く気付くことができる。孔付きアイマスクでは目元あて部（２）が目に被さったままでもテレビや映画などを見ることができ目を暖め気分をほぐしながら視聴することができるなどの利点がある。また、孔付きアイマスク（１）の目元あて部（２）などの外側に動物などの顔を描き貫通孔（３）を動物の目の位置にすることで周囲が見える余興用のアイマスクとしても利用できる利点がある。
【図面の簡単な説明】
【０００７】
【図１】本考案の丸い孔付きアイマスク例
【図２】本考案の横に細長い孔付きアイマスク例
【考案を実施するための形態】
【０００８】  本考案を利用するには、孔付きアイマスク（１）の目元あて部（２）に設けた貫通孔（３）で外部が見えるように目を覆い外部を見ながら目を暖め利用する。
【符号の説明】
【０００９】１は、アイマスク本体
２は、目元あて部
３は、丸い貫通孔
４は、横に細長い貫通孔例
【図１】
0003222522.tif 000003
【図２】
0003222522.tif 000004
(57)【要約】      （修正有）【課題】装着と脱着を簡単にし使い勝手を良くし、また使用後の洗浄を簡単に行えるコーヒー抽出用ネルフィルターの装着構造体を提供する。【解決手段】ネルフイルター１の開口部と同じ円周の大きさの金属製、ゴム、木製または樹脂製の円形のリング３を設け、リング３の穴にネルフィルター１を中ほどまで入れ上部開口部をネルフイルター１の内側からリング３の外側に折り返し、リング３に巻き付け覆い被せたネルフィルター１を、コーヒーカップやサーバーの上部に設置するために、リング３の内径と同じ大きさの装着穴４を保持するスタンドの支柱５を設け、スタンドの支柱５の上部に装着穴４を設け、装着穴４の上からリング３に被せたネルフィルター１の底の部分から落とし込み、装着穴４の縁にネルフイルター１を被せたリング３を乗せ装着することでネルフイルター１を被せたリング３と装着穴４の縁にネルフイルター１の開口部を挟み固定させる。【選択図】図１
0003222503.tif 000002
【実用新案登録請求の範囲】
【請求項１】
ハンドドリップ方式でコーヒーを淹れるときに使用するフィルターにおいて、ネル素材で任意の大きさの円錐形の先端を半球形にした形状でコーヒー用フイルターとして縫製し、フイルターの開口部を円形に広げフイルターの開口部と同じ円周の大きさの金属製、ゴム、木製または樹脂製の円形のリングを設け、リングの穴にネルフィルターを中ほどまで入れ上部開口部をネルフイルターの内側からリングの外側に折り返しリングに巻き付け覆い被せ、リングに覆いかぶせたネルフィルターをコーヒーカップやサーバーの上部に設置するために、リングの内径と同じ大きさの穴を有するスタンドの支柱を設け、スタンドの支柱の上部に穴を設け、穴の上からリングに被せたネルフィルターの底の部分から落とし込み、穴の上にネルフイルターを被せたリングを乗せ装着することでネルフイルターを被せたリングと穴の縁にネルフイルターを挟み固定させることで、穴の縁への装着と脱着が簡単に出来ることを特長とするコーヒー抽出用ネルフィルターの装着構造体。
【考案の詳細な説明】
【技術分野】
【０００１】本考案は、ハンドドリップ方式でコーヒーを淹れるためのコーヒードリッパーに関するものである。
【背景技術】
【０００２】従来より、ハンドドリップ方式で淹れるコーヒーのフィルターはペーパーフィルターが主流になっているが、ネルフィルターで淹れるコーヒーの人気もあるが、フイルターの取り扱いや管理に手間がかかるという欠点がある。
また、ネルフイルターにおいて簡単に使用できるようにネル素材をペーパーフイルターと同じ形に加工し、ペーパーフイルター用のホルダー型ドリッパーに装着して使用するものが販売されている。【０００３】さらに、ネルフイルターの開口部に金属製のリングを通せるリング通しを設け、リングの一部に持ち手部分を設け、茶こしのような形状で、持ち手部分を持ちながら、またはフイルタースタンドに乗せてコーヒーを淹れるネルドリップフイルターがある。
【考案が解決しようとする課題】
【０００４】ハンドドリップ方式でネルフイルターでコーヒーを淹れるとき、ネルフイルターのドリッパースタンドへの設置とネルフイルター使用後の洗浄の手間を出来るだけ省き、またネルフイルターの製造を簡素化しコストを押さえ安価に一般顧客に提供する。
【課題を解決するための手段】
【０００５】本考案にかかるコーヒー抽出用ネルフィルター装着構造体において、ネル素材で円錐形の先端を半球形にした形状のコーヒー用フイルターに縫製し、フイルターの開口部と同じ円周の大きさの金属製、木製または樹脂製の円形のリングを設け、リングにネルフィルターの上部開口部の内側からリングの外側に折り返しネルフイルターの上部をリング一周に被せ、開口部をリングで円形に固めたネルフィルターを、コーヒーカップやサーバーの上部に設置するために、リングの内径と同じ大きさの穴を有したスタンドの支柱を設け、スタンドの支柱の上部に穴を設け、穴の上からリングに被せたネルフィルターの底の部分から落とし込み、穴の上にネルフイルターを被せたリング部を乗せ装着することでネルフイルターを被せたリングと穴の縁にネルフイルターの開口部が挟まれネルフイルターが固定させることで、ネルフィルターを穴への装着が簡単に出来、ネルフイルター内にコーヒー豆を入れお湯を注いで重みがかかってもネルフイルターはコーヒー抽出用ネルフィルター装着構造体からずり落ちないようにする。
【０００６】前記、穴を有したスタンドであるが形状の限定、材質においても例えば金属、木材、樹脂、ガラスに限定するものではなく、スタンドの上部にリングに被せたネルフイルターを受ける穴を有したスタンドとする。
【考案を実施するための形態】
【０００７】以下に、本考案にかかるコーヒー抽出用ネルフィルター装着構造体で、その実施例を示した図面に基づいて詳細に説明する。図１はネルフイルター装着構造体の各部材でネルフイルターを穴を有したスタンドに設置する前の段階の斜視図で、ネルフイルター１とリング２、スタンドの支柱５に設けられたネルフイルター装着用の穴３であり、穴部を支えるスタンドの支柱５である。まずネルフイルター１をリング３の中程まで通し、フイルターの上部開口部の内側からリング一周に巻き込むように覆いかぶせ、リングを被せたフイルターを構造体５の上部の穴４に落とし込むように入れリング部を穴の縁で受けネルフイルターを装着する。
【考案の効果】
【０００８】本考案はコーヒー抽出用ネルフィルター装着構造体へのネルフィルターの装着が簡単に出来き、またリングに被せたネルフイルターを簡単に脱着できコーヒーを淹れた後のネルフイルターの洗浄がしやすくなる。
【図面の簡単な説明】
【０００９】
【図１】本考案にかかるコーヒー抽出用ネルフィルター装着構造体のスタンドの支柱に設た穴４にリング３とネルフイルター１を装着する前の状態を示す実施例の一例を示す斜視図である。
【図２】前記、ネルフイルター装着用の穴４にリング３に被せたネルフイルター１を乗せて装着した状態を示す実施例の一部分の断面図である。
【符号の説明】
【００１０】１ネルフイルター
２縫製跡の糸
３リング
４ネルフイルター装着用穴
５スタンドの支柱
６支柱を支える土台
【図１】
0003222503.tif 000003
【図２】
0003222503.tif 000004
(57)【要約】      （修正有）【課題】ローションを使用した時、人についている菌の感染を防ぎ、人の菌による臭いを抑え、性行為やマッサージを安全かつ円滑に行えるように配合を調整し、肌に与えるダメージを抑えた、所定の容器に収容されているローションを提供する。【解決手段】潤滑ローションとして、水１にグリセリン２とＢＧ（Ｂｕｔｙｌｅｎｅ  Ｇｌｙｃｏｌ）３とポリアクリル酸ナトリウム４と炭酸ナトリウム５に二酸化塩素６を加え、より一層潤滑を促し、所定の容器に収容される。【選択図】図１
0003222505.tif 000002
【実用新案登録請求の範囲】
【請求項１】
潤滑ローションとして、水（１）にグリセリン（２）に二酸化塩素（６）を加えたローション。
【請求項２】
潤滑ローションとして、水（１）にグリセリン（２）とＢＧ（Ｂｕｔｙｌｅｎｅ  Ｇｌｙｃｏｌ）（３）に二酸化塩素（６）を加え潤滑を促す特徴とする、請求項１に記載のローション。
【請求項３】
潤滑ローションとして、水（１）にグリセリン（２）とＢＧ（Ｂｕｔｙｌｅｎｅ  Ｇｌｙｃｏｌ）（３）とポリアクリル酸ナトリウム（４）と炭酸ナトリウム（５）に二酸化塩素（６）を加えより一層潤滑を促す特徴とする請求項１または２に記載のローション。
【考案の詳細な説明】
【技術分野】
【０００１】  本考案は、人用の潤滑ローションで殺菌、消臭効果を高めた潤滑ローションである。
【背景技術】
【０００２】  通常潤滑ローションは、性行為用と思われており、マッサージ用とは別の物と思われていた。【０００３】  通常潤滑ローションは、性行為を円滑に行えるように製造されていた。
マッサージ用は、マッサージをしやすいように製造されていた。【０００４】  いずれも、潤滑ローションは、肌を傷つけず肌の上を滑りやすくする為だけの物だった。
【先行技術文献】
【考案文献】
【考案の開示】
【考案が解決しようとする課題】
【０００５】  本考案は、ローションを使用した時、人についている菌を殺菌し、菌の感染を防ぐ、また菌による臭いを抑え、性行為やマッサージを安全かつ円滑に行えるようにし、肌へ与えるダメージを抑えたローションを提供することを課題とするものである。
【課題を解決するための手段】
【０００６】  本考案は、一般に使用されているローションに二酸化塩素を加えることにより、菌の繁殖を抑え、または、殺菌・滅菌させ、菌による異臭・臭いを抑えることの出来るローションを提供するものである。
【考案の効果】
【０００７】  本考案は、一般に使用されているローションに二酸化塩素を加えることにより、菌の繁殖を抑え、または、殺菌・滅菌させ、菌による異臭・臭いを抑えることの出来るローションである。
【考案を実施するための最良の形態】
【０００８】以下、図面を参照して本考案の実施形態を説明する。
なお、以下に説明する実施形態に限定されることなく、本趣旨を離脱しない範囲で、任意の構造を採用することができる。
図１は、薬品の配合図である。
【図面の簡単な説明】
【０００９】
【図１】薬品の配合図である。
【符号の説明】
【００１０】１      水
２      グリセリン
３      ＢＧ（Ｂｕｔｙｌｅｎｅ  Ｇｌｙｃｏｌ）
４      ポリアクリル酸ナトリウム
５      炭酸ナトリウム
６      二酸化塩素
【図１】
0003222505.tif 000003
【手続補正書】
【提出日】令和1年5月23日(2019.5.23)
【手続補正１】
【補正対象書類名】実用新案登録請求の範囲
【補正対象項目名】全文
【補正方法】変更
【補正の内容】
【実用新案登録請求の範囲】
【請求項１】
潤滑ローションとして、水（１）にグリセリン（２）に二酸化塩素（６）を加えたことを特徴とする、所定の容器に収容されている潤滑ローション。
【請求項２】
潤滑ローションとして、水（１）にグリセリン（２）とＢＧ（Ｂｕｔｙｌｅｎｅ  Ｇｌｙｃｏｌ）（３）に二酸化塩素（６）を加え潤滑を促す特徴とする、所定の容器に収容されている潤滑ローション。
【請求項３】
潤滑ローションとして、水（１）にグリセリン（２）とＢＧ（Ｂｕｔｙｌｅｎｅ  Ｇｌｙｃｏｌ）（３）とポリアクリル酸ナトリウム（４）と炭酸ナトリウム（５）に二酸化塩素（６）を加えより一層潤滑を促す特徴とする、所定の容器に収容されている潤滑ローション。
(57)【要約】      （修正有）【課題】構造が簡単で、安全で使いやすく、冷却効果を効果的に改善することができる安定型トランスを提供する。【解決手段】安定型トランスは、ケーシング１と、コア２と、コイルと、銅片４とを含み、ケーシング内にコアが配置され、コアの上下端に銅片が配置され、ヒートシンク５がコアの両側に配置され、且つベース７に取り付けられ、ベースはハウジング内に取り付けられ、ハウジングの内壁には絶縁層６を備える。銅片は、トランスの短絡に関する問題を効果的に解決することによりトランスの安定性を改善し、絶縁層は、使用中の変圧器の安全性を向上させる。【選択図】図１
0003222600.tif 000002
【実用新案登録請求の範囲】
【請求項１】
ケーシングと、コアと、銅片とを含み、
前記ケーシング内にコアが配置され、
前記コアの上下端に前記銅片が配置され、
ヒートシンクが前記コアの両側に配置され、且つベースに取り付けられ、
前記ベースはハウジング内に取り付けられ、
前記ハウジングの内壁は絶縁層を備える安定型トランス。
【請求項２】
前記ケーシングに放熱線状孔が開かれることを特徴とする請求項１記載の安定型トランス。
【請求項３】
前記放熱線状孔はヒートシンクに対応することを特徴とする請求項２記載の安定型トランス。
【請求項４】
前記ヒートシンクとコアの間には距離があることを特徴とする請求項１記載の安定型トランス。
【請求項５】
前記コアの断面は正八角形であることを特徴とする請求項１記載の安定型トランス。
【考案の詳細な説明】
【技術分野】
【０００１】
本考案は、トランスに関し、特に安定型トランスに関する。
【背景技術】
【０００２】
密閉型モジュール電源の放熱設計はしばしば非常に困難な課題である、これは特にトランスに当てはまる。密閉型モジュール電源は通常、熱伝導で放熱するが、モジュールの内部のポッティングコンパウンドは、通常、トランスを完全に包むことができない。またトランスのコアは、特にコアの接合面では、熱抵抗が大きい。そのためトランスと基板の接合側の底部にあるコアの温度は、反対側の頂部にあるコアの温度と大きく異なり、従って頂部にあるコアの熱を基板に伝導する必要がある。
【０００３】
従って、上記課題を解決するために、本考案は新しい技術的な解決策を提案する。
【考案の概要】
【考案が解決しようとする課題】
【０００４】
本考案は一種の安定型トランスを提供する。
【課題を解決するための手段】
【０００５】
本考案が採用する技術的な解決策は：
ケーシングと、コアと、銅片とを含み、前記ケーシング内にコアが配置され、前記コアの上下端に銅片が配置され、ヒートシンクがコアの両側に配置され、且つ前記ヒートシンクはベースに取り付けられ、前記ベースはハウジング内に取り付けられ、前記ハウジングの内壁は絶縁層を備える安定型トランスである。
【０００６】
また、前記ケーシングに放熱線状孔が開かれる。
【０００７】
また、前記放熱線状孔はヒートシンクに対応する。
【０００８】
また、前記ヒートシンクとコアの間には距離がある。
【０００９】
また、前記コアの断面は正八角形である。
【考案の効果】
【００１０】
本考案の有益な効果は、構造が簡単で、安全で使いやすく、使用されたヒートシンクは冷却効果を効果的に改善することができ、設置された銅片は、トランスの短絡に関する問題を効果的に解決することによりトランスの安定性を改善し、設置された絶縁層は、使用中の変圧器の安全性を向上させる。
【図面の簡単な説明】
【００１１】
【図１】本考案の構造の概略図である。
【考案を実施するための形態】
【００１２】
図1に示すのは、ケーシング１と、コア２と、銅片４とを含み、ケーシング１内にコア２が配置され、コア２の上下端に銅片４が配置され、ヒートシンク５がコア２の両側に配置され、ヒートシンク５に放熱孔６が開かれ且つヒートシンク５はベース７に取り付けられ、ベース７はケーシング１内に取り付けられ、ケーシング1の内壁は絶縁層６を備え、ケーシング１に放熱線状孔３が開かれ、放熱線状孔３はヒートシンク５に対応し、ヒートシンク５とコア２の間には距離があり、コアの断面は正八角形である安定型トランスである。
【００１３】
本考案の有益な効果は、構造が簡単で、安全で使いやすく、使用されたヒートシンクは冷却効果を効果的に改善することができ、設置された銅片は、トランスの短絡に関する問題を効果的に解決することによりトランスの安定性を改善し、設置された絶縁層は、使用中の変圧器の安全性を向上させる。
【００１４】
以上は単に本考案の好ましい実施形態のみであり、本考案を任意の他の形式で限定するものではなく、本考案の技術的な本質に基づいて任意の変更および等効変換は、依然として本考案の特許保護範囲に含まれる 。
【符号の説明】
【００１５】
１  ケーシング
２  コア
３  放熱線状孔
４  銅片
５  ヒートシンク
６  絶縁層
７  ベース
【図１】
0003222600.tif 000003
【手続補正書】
【提出日】平成30年9月28日(2018.9.28)
【手続補正１】
【補正対象書類名】明細書
【補正対象項目名】００１２
【補正方法】変更
【補正の内容】
【００１２】図1に示すのは、ケーシング１と、コア２と、銅片４とを含み、ケーシング１内にコア２が配置され、コア２の上下端に銅片４が配置され、ヒートシンク５がコア２の両側に配置され、且つヒートシンク５はベース７に取り付けられ、ベース７はケーシング１内に取り付けられ、ケーシング1の内壁は絶縁層６を備え、ケーシング１に放熱線状孔３が開かれ、放熱線状孔３はヒートシンク５に対応し、ヒートシンク５とコア２の間には距離があり、コアの断面は正八角形である安定型トランスである。
(57)【要約】      （修正有）【課題】薄手の布を用いて、立体的な形で、動物などのキャラクター性に優れたデザインを簡単に作製することができる帽子を提供する。【解決手段】薄手の生地であっても、片側面に半円の形状を持つように裁断した２つの布生地を重ねて、半円部分を縫い合わせることで立体的な帽子が完成し、さらに、片方の布生地の縫い合わせていない方の側面を筒状に折り返して縫い合わせることで、紐を通すことが可能な筒が出来上がり、紐を通し顎に引っ掛けることで、スポーツやアウトドアのシーンでも、頭から落ちにくく、動きやすい。【選択図】図２
0003223617.tif 000002
【実用新案登録請求の範囲】
【請求項１】
薄手の生地であっても、裁断した布生地を２箇所縫い合わせ、紐を通すだけで、立体的な帽子が完成。薄手の生地が使えるため、吸水速乾性に優れた素材などであっても加工が容易なため、スポーツやアウトドア、遊びなどあらゆる場面で活用できる素材で、立体性的な帽子が作成できることを特徴とする帽子。
【請求項２】
薄手の生地を下地とするために、加工がしやすく、例えば、帽子前面に、動物の目玉を付けるなどの応用が容易にでき、キャラクター性の高いデザイン展開を可能にする特徴を持つ帽子。背面に、文字などを入れることも可能で、視認性が高い。
【請求項３】
縫製により立体性を確保した上で、通気性を確保するための穴を開け、メッシュ生地など通気性の高い生地でカバーすることで、通気性を特徴とした帽子。
【考案の詳細な説明】
【技術分野】
【０００１】  本考案は、立体感を容易に作成し、動物などのキャラクター性の高いデザインに活用し易い帽子、並びに、その縫製方法に関するものである。
【背景技術】
【０００２】  従来の動物などのキャラクター性のある布製の帽子は、立体感を出すために、素材に厚みを持たせる必要があり、被った時に、重く、通気性が悪く、暑い日やスポーツ時には不向きなものであった。
【考案の概要】
【考案を解決するための課題】
【０００３】  立体感を出すためには、複雑な縫製を行うか、立体感を保つ厚みのある布で縫製する必要があり、作業が複雑で、なおかつ、完成品に重量感があり、さらに頭に熱がこもるものであった。また、軽い帽子は落下しやすく、激しい運動には不向きなものであった。
【課題を解決するための手段】
【０００４】  本考案は、通気性が良く、軽い薄手の布であっても、２枚の布を円形に１箇所縫製し、裏返しに折り返すだけで、袋状の立体感が確保され、通気性と軽さの問題を解決している。
且つ、落下防止の紐を取り付ける部分も１箇所の縫製で済み、全行程２箇所の縫製で、落下に強く、軽く、通気性の良い帽子を作れることで問題を解決している。
【考案の効果】
【０００５】  上述のように、本考案の立体キャラクター帽子は、軽さや通気性、撥水速乾性に優れた薄い布であっても、立体的な帽子を作成することができるため、スポーツやアウトドア、遊びのシーンで活用できる、軽くて、落下に強く、通気性、撥水速乾性に優れた帽子の作成が可能であり、加工のし易さから、デザイン性の追求やキャラクター性の実現が可能になり、広い活用シーンで役に立つ。
【図面の簡単な説明】
【０００６】
【図１】本考案の立体キャラクター帽子の基本形状を示す前面図、側面図、背面図である。
【図２】本考案の立体キャラクター帽子の縫製方法を示す製作工程である。
【図３】本考案の立体キャラクター帽子の一例、特にキャラクター展開を示す前面図、側面図、背面図である。
【図４】本考案の立体キャラクター帽子の一例、特に通気性展開を示す前面図、側面図、背面図である。
【考案を実施するための形態】
【０００７】  帽子の前面は頭部から額までの高さ、背面は頭部から後頭部を隠す高さの２枚の布の上部を半円形に裁断し、２枚の布を円形に沿って縫製する。前面の下部には、紐を通せるほどの幅で折り返し、縫製することで紐を通せる筒状の折り返しを作成する。前面と背面を半円状に縫った後に、内側を外に折り返し、袋状の帽子が完成する。紐の結び具合で、頭の大きさに合った長さと位置が自在となる。
【符号の説明】
【０００８】１．帽子前面
２．帽子後ろ面
３．頭部縫製部分
４．帽子折り返し方法
５．紐通し用折り返し部分
５ｂ．紐通し用折り返し部分（断面）
６．紐通し用縫製部分
６ｂ．紐通し用縫製部分（断面）
７．紐
７ｂ．紐（断面）
８．キャラクターデザイン例
９．背面文字デザイン例
１０．通気用メッシュ部分
Ａ．帽子完成品（正面図）
Ｂ．帽子完成品（側面図）
Ｃ．帽子完成品（背面図）
ａ．帽子前面（裏側）
ｂ．帽子前面（布断面）
ｃ．縫った後の帽子（折り返し前）
ｄ．縫った後の帽子（折り返し前／断面）
ｅ．縫った後の帽子（折り返し後）
ｆ．縫った後の帽子（折り返し後／断面）完成時
【図１】
0003223617.tif 000003
【図２】
0003223617.tif 000004
【図３】
0003223617.tif 000005
【図４】
0003223617.tif 000006
【手続補正書】
【提出日】令和1年6月19日(2019.6.19)
【手続補正１】
【補正対象書類名】実用新案登録請求の範囲
【補正対象項目名】請求項１
【補正方法】変更
【補正の内容】
【請求項１】
薄手の生地であっても、片側面に半円の形状を持つように裁断した２つの布生地を重ねて、半円部分を縫い合わせることで立体的な帽子が完成し、さらに、片方の布生地の縫い合わせていない方の側面を筒状に折り返して縫い合わせることで、紐を通すことが可能な筒が出来上がり、紐を通し顎に引っ掛けることで、スポーツやアウトドアのシーンでも、頭から落ちにくく、動きやすいことを特徴とする帽子。
【手続補正２】
【補正対象書類名】実用新案登録請求の範囲
【補正対象項目名】請求項２
【補正方法】変更
【補正の内容】
【請求項２】
薄手の生地を下地として使うために、加工がしやすく、帽子の前面に動物の目玉を縫い付けるキャラクター性の高いデザイン展開や、背面に文字や数字を縫い付ける客観的に視認性が高いデザイン展開を容易にすることを特徴とする請求項１記載の帽子。
【手続補正３】
【補正対象書類名】実用新案登録請求の範囲
【補正対象項目名】請求項３
【補正方法】変更
【補正の内容】
【請求項３】
薄手の生地を下地として使うために、吸水速乾性に優れた薄手の素材であっても加工が可能で、さらに通気性を確保するための穴を開けることで、もっと薄いメッシュ生地を縫い付けてカバーすることで、汗をかき易いスポーツやアウトドア、遊び、レジャーの場面で活用ができる、吸水性、速乾性、通気性の高い仕上げを容易に可能にすることを特徴とする請求項１記載の帽子。
(57)【要約】      （修正有）【課題】ゴム紐型携帯ストラップを提供する。【解決手段】従来の携帯電話のストラップでは携帯電話の置き忘れに対応できない為、考案したのが、携帯電話やスマートフォンに長さ約５０ｃｍ〜６０ｃｍ程のゴム紐４を付け、ピン型クリップ３等で鞄や衣類のポケットに止めて、携帯電話及びスマートフォンの置き忘れと紛失を防止する。【選択図】図１
0003223622.tif 000002
【実用新案登録請求の範囲】
【請求項１】
従来の携帯電話のストラップでは携帯電話の置き忘れに対応できない為、考案したのが、携帯電話に長さ約５０ｃｍ位のゴム紐を付け、固定するクリップで鞄の内側に止めて、携帯電話の置き忘れや紛失を防止する為のゴム紐型携帯ストラップ。  スマートフォンにも使うことができる。
【考案の詳細な説明】
【技術分野】
【０００１】本考案はゴム紐で携帯と手持ちの鞄をつなぐ携帯用のストラップに関するものである。
本考案はスマートフォンにも応用できるものである。
【背景技術】
【０００２】時間に追われて、急いで買い物をしていた時、携帯をスーパーに置き忘れて、捜すのに苦労した事があった。
【考案の概要】
【考案が解決しようとする課題】
【０００３】携帯電話は携帯会社に登録して、料金を支払えば万が一紛失した時、場所を特定して紛失した携帯を捜す事はできるが、携帯電話の中には個人情報が含まれているので、できるだけ置き忘れたり、粉失することを避けたい。
従来のストラップでは対応できない前述の欠点を解決しようとするものである。
【課題を解決する為の手段】
【０００４】本考案はストラップの替りにゴム紐を携帯電話と手持ちの鞄のポケットに止めて、ゴム紐の長さは約５０ｃｍ〜６０ｃｍ位とし、ゴム紐は伸びるので、顔の耳に携帯電話をあてる時、手の動きは自在にできる。
携帯電話に付けたゴム紐を手持ちのカバン等にピン型クリップで止める事で、携帯電話の置き忘れや、紛失する事への問題点を解決している。
スマートフォンにも対応できる。
ピン型クリップを別な固定クリップに替えれば着衣にも応用できる。
【考案の効果】
【０００５】外出時には、大抵の人が携帯電話等を持ち歩くが、多用で忙しい現代人にとって、携帯電話と手持ちの鞄が繋がっていて紛失する事がないという事は安心して外出できることである。
【図面の簡単な説明】
【０００６】
【図１】本考案のゴム紐型携帯ストラップの実施例を示す正面図である。
【考案を実施するための形態】
【０００７】携帯電話のストラップを付ける穴にゴム紐を通し、もう一方のゴム紐の端は鞄の内ポケットのところにピン型クリップで止める、
この形態で携帯電話を身の回りから離さないことが可能となる。
【実施例】
【０００８】ゴム紐型携帯ストラップを鞄の内側のポケットの位置に付ける事で携帯電話の置き忘れや紛失がなくなり、安全性が高まる。【０００９】ゴム紐型携帯ストラップの端に付けるピン型クリップは、万が一、ピンがはずれてしまった時、つきささる可能性があるので鞄用としているが、安全面を考慮した場合、ピン型のクリップを固定型のクリップに替える事で、着衣のコート、上着、ズボンのポケットにも止めることが可能となる。【００１０】ゴム紐型携帯ストラップはスマートフォンにも対応する事が可能である。【００１１】ゴム紐型携帯ストラップの両端のクリップをはずす事で、従来の携帯電話となる。
【符号の説明】
【００１２】１．携帯電話本体
２．クリップ
３．ピン型クリップ
４．ゴム紐
５．飾り
【図１】
0003223622.tif 000003
【手続補正書】
【提出日】令和1年8月5日(2019.8.5)
【手続補正１】
【補正対象書類名】実用新案登録請求の範囲
【補正対象項目名】請求項１
【補正方法】変更
【補正の内容】
【請求項１】
従来の携帯電話のストラップでは携帯電話の置き忘れに対応できない為、考案したのが、携帯電話やスマートフォンに長さ約５０ｃｍ〜６０ｃｍ程のゴム紐を付け、クリップ等で鞄や衣類のポケットに止めて、携帯電話及びスマートフォンの置き忘れと紛失を防止する為の、ゴム紐型携帯ストラップ。
(57)【要約】      （修正有）【課題】足の踵にフィットして、ずれて足から抜けないようにした靴下を提供する。【解決手段】靴下７の踵の部分を切り取って穴１０を開けて、該穴１０から足の踵が外に出て、その穴１０の切り口が足の踵にフィットして止まるように施して、靴下７が足の踵に止まるようにした。【選択図】図２
0003223629.tif 000002
【実用新案登録請求の範囲】
【請求項１】
靴下の踵の部分を切り取って穴を開けて、該穴から足の踵が外に出て、その穴の切り口が足の踵にフィットして止まるように施した靴下。
【請求項２】
靴下の踵の部分を切り取って開けた穴を、該穴の切り口が足の踵にフィットして止まる状態で塞いだ請求項１記載の靴下。
【考案の詳細な説明】
【技術分野】
【０００１】    本考案は、各種の靴下に関するものである。
【背景技術】
【０００２】    高齢化に伴い、特に足の冷え防止のために靴下を履いたまま就寝する者が多い。その際、就寝時には足の圧迫感をなくすためにゆるめの靴下を選ぶことが多い。
しかし、その場合、就寝中に足を動かすことで生じる靴下と寝具との摩擦力によって靴下がずれて、さらには足から抜けてしまう問題がある。
また、赤ちゃん用靴下でも、激しい足の動きによる同様の問題がある。
また、抜けやすいパンプス靴下のようなものでは踵部にすべり止めを施したものがある。しかし、そのすべり止めも十分な効果が得られていない。
【考案の概要】
【考案が解決しようとする課題】
【０００４】    従来の靴下は、その使用状態によっては使用中にずれて、さらには足から抜けてしまうなどの課題があった。
【課題を解決するための手段】
【０００５】    上記課題を解決するために、本考案は、靴下の踵の部分を切り取って穴を開けて、該穴から足の踵が外に出て、その穴の切り口が足の踵にフィットして止まるように施して、このように施されて踵の部分に穴が開けられた靴下が足の踵に止まるようにして、靴下がずれて足から抜けないようにした。
なお、本考案の靴下は、普通丈のものの他、ブーツソックスやパンプス或いはカバーソックス、さらには赤ちゃん用ソックスなどでもよく、特に限定しない。
また、足の踵にフィットして止まるように開けられた穴の形状は、図２のとおりの円形状の他に、足の踵の形状等を考慮して、それに合わせたものなどでもよい。
また、上述したとおりのフィット感が保たれる状態において、踵の部分に開けられた穴を塞いでもよい。
【考案の効果】
【０００６】    靴下の踵の部分を切り取って穴を開けて、該穴から足の踵が外に出て、その穴の切り口が足の踵にフィットして止まるように施したことによって、靴下がずれて足から抜けないようになった。
【図面の簡単な説明】
【０００７】
【図１】  一般的な普通丈の靴下の斜視図である。
【図２】  本件考案の靴下の一実施例を示す斜視図である。
【図３】  本件考案の靴下の一実施例を示す裏面図である。
【符号の説明】１    靴下
２    口ゴム
３    レッグ
４    踵
５    底
６    つま先
７    本件考案の靴下
８    口ゴム
９    レッグ
１０  穴
１１  底
１２  つま先
【図１】
0003223629.tif 000003
【図２】
0003223629.tif 000004
【図３】
0003223629.tif 000005
(57)【要約】      （修正有）【課題】トレーニング中衝撃を受けても四肢への固形物の干渉が無く、怪我や痛みが回避される加圧ベルトの係留カンを提供する。【解決手段】加圧ベルトをリング状の形態に保持する係留カンであって、軟質樹脂チューブ１を加圧ベルト４の幅と同じ長さにカットし、軟質樹脂チューブ１の穴にロープ２を通して角カンを形成し係留カンとして使用する。ロープ２を中心軸として軟質樹脂チューブ１は回転するが、軟質樹脂チューブ１のトンネル内側と接触するロープ２に、所望する加圧強度に応じた接着剤、セロチップ、樹脂、又は金属の線カシメ３の補強加工を加えた。【選択図】図３
0003223650.tif 000002
【実用新案登録請求の範囲】
【請求項１】
加圧ベルトをリング状の形態に保持する係留カンであって所望の加圧力を四肢に得る場合ベルト先端に固定されている係留カンにもう一方の端末を通し引いて圧を得るが、樹脂チューブを加圧ベルトの幅と同じ長さにカットし樹脂チューブの穴にロープを通して角カンを形成し係留カンとして使用することを特徴とする加圧ベルトの係留カン。
【請求項２】
上記係留カンはロープを中心軸として軟質チューブは回転するが、回転する軟質チューブのトンネル内側と接触する芯ロープに所望する加圧強度に応じた接着剤、セロチップ、樹脂、金属の線カシメ等の補強加工を加えたことを特徴とする請求項１の加圧ベルトの係留カン。
【考案の詳細な説明】
【技術分野】
【０００１】本考案は四肢に巻く加圧ベルトの係留部品に関する。
【背景技術】
【０００２】加圧ベルトは人体の四肢に巻いて加圧し血流を制限して運動することで体内の成長ホルモンの分泌と筋肉量の増加をもたらす。
長尺ベルトの構造は一方の端に樹脂の角カンを備えもう一方の端を係留カンに通して反転し、引いて加圧し所望する圧を四肢に与えて面ファスナーで止着する。
【先行技術文献】
【考案の概要】
【考案が解決しようとする課題】
【０００３】加圧運動は単に筋肉を増強することだけでなく、種目ごとの競技能力を向上させることが本来の目的である。
加圧ベルトを巻いた状態でのパフォーマンスは脳と運動神経と筋肉とを一体化し、同調させて種目ごとのパフォーマンス能力を高めることは広く知られている。
ベルトの係留カンは殆どが金属や成形樹脂で作られている。
装着した状態での練習はこの成形品の個体形状が転倒時、床運動などの衝撃を受け人体に与える。
例えばパレーボールの回転レシーブ、柔道の寝技、ラグビーのゲームトレ―ニング等ベルトを巻いた四肢に痛み、怪我等の危険な衝撃をもたらす。競技は痛みや怪我を伴う危険性からトレーニング指導のメニューから外されることが多い。
【課題を解決するための手段】
【０００４】係留カンが四肢に干渉することを回避するため従来の樹脂成型品に代えて軟質樹脂チューブを加圧ベルトの幅にカットして中心の穴にロープを通して係留カンとする。
カットした軟質樹脂チューブに内接するロープ部分は金属のチューブカシメで補強する。
【考案の効果】
【０００５】加圧ベルトが保留カンでしごかれる際軟質チューブは回転して接触面との摩擦を低減しベルトの動きを円滑にする。【０００６】トレーニング中衝撃を受けてもロープに依って形成される柔軟な係留カンであるから従来の樹脂カンのように四肢への固形物の干渉は無く怪我や痛みの問題は回避される。
【図面の簡単な説明】
【０００７】
【図１】係留カンの正面図である。
【図２】係留カンの側面図である。
【図３】ロープで形成された角カンである。
【図４】金属線カシメの参考図である。
【考案を実施するための形態】
【０００８】加圧ベルトの幅にカットした軟質樹脂チューブにロープを通して角カンを形成し回転するチューブと接するロープに鉄カシメ等の補強を加えて係留カンとして使用する。
【実施例】
【０００９】
【産業上の利用可能性】
【・・・・】
【符号の説明】
【０００９】１．  軟質樹脂チューブ
２．  ロープ
３．  鉄線カシメ
４．  加圧ベルト本体
【図１】
0003223650.tif 000003
【図２】
0003223650.tif 000004
【図３】
0003223650.tif 000005
【図４】
0003223650.tif 000006
(57)【要約】      （修正有）【課題】熱中症及び低体温症による体調異常を事前に目視して予防できるシール型体温計を提供する。【解決手段】温度の変化で色が変わり文字が浮き出る可逆性温度感知液晶からなるサーモ塗料で印刷されたシール型体温計であって、体の見やすい場所に張って体調を管理する。【選択図】図２
0003223643.tif 000002
【実用新案登録請求の範囲】
【請求項１】
温度の変化で色が変わり文字が浮き出る可逆性温度感知液晶の形状を変え、熱中症予防用に感知・予知するシール型体温計
【考案の詳細な説明】
【技術分野】
【０００１】体温計シールを常時装着することによって体調を診断する
【背景技術】
【０００２】体温の異常上昇による熱中症を並びに低体温症の予防
【考案の開示】
【考案が解決しようとする課題】
【０００３】可逆性温度感知液晶は各企業の商品名はさまざまあるが（メタモカラー・サーモペイント）
温度によって色が変わり文字が浮き出て体温を測るサーモ塗料で印刷されているシール
【課題を解決するための手段】
【０００４】考案したシールを体の見やすい場所に張って体調を管理する
【考案の効果】
【０００５】シール体温計の使用で事前に異常体温で低体温症および熱中症予防になる
【考案を実施するための最良の形態】
【０００６】汗等で剥がれない接着で動脈上の皮膚に張り温度変化の部分が数字・文字だと見やすい
【産業上の利用可能性】
【０００７】夢中で作業、運動をしていると気温・状況による体温上昇低下を目視し健康管理となる
【図面の簡単な説明】
【０００８】
【図１】シール体温計（考案品）
【図２】シール体温計を装着使用中
【符号の説明】
【０００９】（イ）・・シール体温計  （ロ）・・腕  （ハ）・・
【図１】
0003223643.tif 000003
【図２】
0003223643.tif 000004
(57)【要約】      （修正有）【課題】基礎のそれ以上の沈下を防止するために、沈下した基礎周囲の敷地に杭打ち作業スペースさえあれば、簡単な敷地の掘方で、鋼管杭と連結させるためのボルトなどを通すＵ字型金物をＬ型金物に溶接した基礎への引掛け用金物を提供する。【解決手段】傾いた建物に、後施工の沈下防止用杭打ち鋼管と基礎を一体化させる基礎沈下防止構造に於いて、先端を直角に曲げたボルトａを、板状Ｌ型金物の山折部にまたいで溶接し、且つＬ型金物の引張側には、基礎固定締結用の貫通穴が複数ヶ所設けてある。【選択図】図１
0003223646.tif 000002
【実用新案登録請求の範囲】
【請求項１】
傾いた建物に、後施工の沈下防止用杭打ち鋼管と基礎を一体化させる基礎沈下防止構造に於いて、先端を直角に曲げたボルトを、板状Ｌ型金物の山折部にまたいで溶接し、且つＬ型金物の引張側には、基礎固定締結用の貫通穴が複数ヶ所設けてあることを特徴とする引掛け金物
【考案の詳細な説明】
【技術分野】
【０００１】  本考案は、図２のような基礎を有する建物や工作物における、沈下防止用鋼管杭打ちを後から施工する場合、基礎との連結に必要な金物に関するものである。
【背景技術】
【０００２】  従来から、傾いた建物の沈下を防止するために後から鋼管杭を施工し、基礎との結合を、Ｈ型鋼を杭に溶接しさらに、コンクリート基礎とＨ型鋼を結合するためにコンクリートで一体にしていた。これは、Ｈ型鋼を溶接する為と、基礎の下にＨ型鋼を差し込めるほどの余裕ある地盤の掘り込み作業が必要であり、そのための敷地作業スペースが必要である。
【考案の概要】
【０００３】  図２は基礎を後施工の鋼管杭と連結構成部材で保持した例であり、基礎の端部へ係合させる金物と、杭頭部へ係合させる金物と、それらを連結する棒状連結材（以下ボルト等と表現）を、連結構成材として組み合わせてあり、基礎端部用係合金物は先端を直角に曲げたボルトを、Ｌ型金物の山折り部にまたがって溶接するものである。
【考案の効果】
【０００４】  上述のように、本考案の連結構成部材は、現地にて、溶接や、ジャッキ作業や、コンクリート打ち込み作業や、そのための広いスペースが不要であり、作業安全性の向上と、設計強度が安定することで、建物の修繕費用としての費用が低減できる。又経時による建物傾斜程度の調整が、引張部材のボルトなどの調整により後からでも容易可能となる。さらに引掛け金物は、Ｌ型金物の山折り側に先先端を直角に曲げたボルトをＬ型金物の山折り側にまたがって溶接することで、Ｌ型金物の補強となり、さらにＬ型金物が受ける引張力による回転モーメントの低減の効果があり基礎コンクリートへの固着用ボルトなどの締結材への剪断荷重の負担軽減にもなっている。
【図面の簡単な説明】
【０００５】
【図１】は本考案での係合部を形成する引掛け金物の例の図であり、ａは、先端を曲げたボルト、ｂ１はボルト曲げ部の干渉回避穴ｂ２を有するＬ型金物、ｃは締結用穴を示す。さらに図は、ボルト引張側を、引張方向に若干曲げてある図としてある。
【図２】は、本考案の組み立てで必要な連結構成材の施工例の図であり、ｄは基礎引掛け金物、ｅは基礎締結材、ｆは鋼管杭、ｇは鋼管側引掛け金物の例、ｈは鋼管側の引掛け金物の固定例、ｉとｌとｍは引張用連結構成材の例、ｊは管理用点検箱の例、ｋは基礎断面の例である。
【図３】は、基礎の根入れ深さが大きい場合にＬ型金物を引掛けた場合の図
【図１】
0003223646.tif 000003
【図２】
0003223646.tif 000004
【図３】
0003223646.tif 000005
(57)【要約】      （修正有）【課題】基礎のそれ以上の沈下を防止するために、沈下した基礎周囲の敷地に杭打ち作業スペースさえあれば、簡単な敷地の掘方で、鋼管杭と連結させるためのボルトなどを通すＵ字型金物をＬ型金物に溶接した基礎への引掛け用金物を提供する。【解決手段】傾いた建物に、後施工の沈下防止用杭打ち鋼管と基礎を一体化させる基礎沈下防止構造に於いて、引張金物を通すためのＵ字型金物ａを、板状Ｌ型金物ｂの山折部にまたいで斜めに溶接し、且つＬ型金物の引張側には、基礎との固定締結用の貫通穴ｃが複数ヶ所設けてある。【選択図】図１
0003223645.tif 000002
【実用新案登録請求の範囲】
【請求項１】
傾いた建物に、後施工の沈下防止用杭打ち鋼管と基礎を一体化させる基礎沈下防止構造に於いて、引張金物を通すためのＵ字型金物を、板状Ｌ型金物の山折部にまたいで斜めに溶接し、且つＬ型金物の引張側には、基礎との固定締結用の貫通穴が複数ヶ所設けてあることを特徴とする引掛け金物。
【考案の詳細な説明】
【技術分野】
【０００１】  本考案は、図２のような基礎を有する建物や工作物における、沈下防止用鋼管杭打ちを後から施工する場合、基礎との連結に必要な金物に関するものである。
【背景技術】
【０００２】  従来から、傾いた建物の沈下を防止するために後から鋼管杭を施工し、基礎との結合を、Ｈ型鋼を杭に溶接しさらに、コンクリート基礎とＨ型鋼を結合するためにコンクリートで一体にしていた。これは、Ｈ型鋼を溶接する為と、基礎の下にＨ型鋼を差し込めるほどの余裕ある地盤の掘り込み作業が必要であり、そのための敷地作業スペースが必要である。
【考案の概要】
【０００３】  図２は基礎を後施工の鋼管杭と連結構成部材で保持した例であり、基礎の端部へ係合させる金物と、杭頭部へ係合させる金物と、それらを連結する棒状連結材（以下ボルト等と表現）を、連結構成材として組み合わせてあり、基礎端部用係合金物はボルトなどを通すためのＵ字型金物を、板状のＬ型引掛け用の金物の出隅側にまたいで斜めに溶接するものである。
【考案の効果】
【０００４】  上述のように、本考案の連結構成部材は、現地にて、溶接や、ジャッキ作業や、コンクリート打ち込み作業や、そのための広いスペースが不要であり、作業安全性の向上と、設計強度が安定することで、建物の修繕費用としての費用が低減できる。又経時による建物傾斜程度の調整が、引張部材のボルトなどの調整により後からでも容易可能となる。さらに引掛け金物は、Ｌ型金物の山折り側にＵ型中ものをまたがって溶接することで、Ｌ型金物の補強となり、さらに斜めに溶接してあることで、引張力のかかる位置を制約出来て、そのことによるＬ型金物が受ける回転モーメントの低減の効果があり基礎コンクリートへの締結材への剪断荷重の負担軽減にもなっている。
【図面の簡単な説明】
【０００５】
【図１】は本考案での係合部を形成する引掛け金物の例の図であり、ａは、Ｕ字型金物、ｂはＬ型金物、ｃは締結用穴を示す。
【図２】は、本考案の組み立てで必要な連結構成材の施工例の図であり、ｄは基礎引掛け金物、ｅは基礎締結材、ｆは鋼管杭、ｇ１とｇ２は鋼管側引掛け金物の組合せ例、ｈとｉは引張構成材の例、ｊは管理用点検箱の例、ｋは基礎断面の例である。
【図３】は、基礎の根入れ深さが大きい場合にＬ型金物を引掛けた場合の図
【図１】
0003223645.tif 000003
【図２】
0003223645.tif 000004
【図３】
0003223645.tif 000005